(57)【特許請求の範囲】
【請求項１】
発電運転に関する情報と給湯運転に関する情報を報知する表示手段を備えた発電機能付きの給湯システムにおいて、
前記表示手段は、それぞれ点灯手段を備えた複数の表示装置により構成され、少なくとも、１の表示装置が、文字、絵柄又は文字と絵柄の組み合わせにより発電運転に関する情報と給湯運転に関する情報の双方を表示する第１表示装置とされ、他の１の表示装置がその点灯手段の発光態様によって発電運転に関する情報を表示する第２表示装置とされ、
前記第１表示装置は、発電運転状態とは連動せずに、給湯運転状態に基づく省電力制御に連動してその点灯手段の点灯制御が実施されるとともに、前記第２表示装置は、給湯運転状態に基づく省電力制御とは連動せずに、発電運転状態に基づいてその点灯手段の点灯制御が実施されるように構成されたことを特徴とする給湯システム。
【請求項２】
前記第１表示装置の点灯手段は、前記第１表示装置のバックライト又は前記第１表示装置において文字、絵柄又は文字と絵柄の組み合わせを表示する自発光素子で構成され、前記第２表示装置の点灯手段は、前記第２表示装置を発光させる導光部材の光源として構成されていることを特徴とする請求項１に記載の給湯システム。
【請求項３】
前記第２表示装置は、点灯手段の輝度、発光色、発光点滅周期、点灯手段を構成する発光素子の発光数又はこれらの組み合わせによって発電運転状態を報知することを特徴とする請求項１または２に記載の給湯システム。
【請求項４】
前記第２表示装置の点灯手段の発光態様は、発電電力量と使用電力量とに基づいて決定されることを特徴とする請求項１から３のいずれかに記載の給湯システム。
【発明の詳細な説明】
【技術分野】
【０００１】
この発明は給湯システムに関し、より詳細には、ガスエンジンや燃料電池などによる発電機能を備えた発電機能付きの給湯システムにおけるリモコンの表示技術に関する。
【背景技術】
【０００２】
近時、家庭用のコージェネレーションシステムとして、ガスエンジンや燃料電池などで発電を行うとともに、その際に発生する排熱を回収して温水を生成して給湯に利用する発電機能付きの給湯システムが提供されている。
【０００３】
ところで、この種の給湯システムにおいては、発電中に余剰電力が生じると、余剰電力を利用して電気ヒータを発熱させて貯湯タンク内の温水を加熱等するように構成されているが、電気を効率的に利用するためにはできるだけ余剰電力が生じないように電力を使用（消費）するのが望ましいことから、この種の給湯システムにおいては、台所などに設置される給湯システムのリモコンの表示部に、給湯運転に関する情報と併せて発電運転に関する情報も表示するように構成されている。
【０００４】
ここで、この発電運転に関する情報の表示としては、単に発電機の状態（発電中か否か）のみを表示させることも考えられるが、それだけでは上述した情報表示の目的を十分に果たすことができないことから、発電中か否かの表示にとどまらず、たとえば、現在の発電電力量や使用電力量など様々な情報が表示されるように構成されている。そのため、これら発電運転に関する情報を表示する表示部としては、液晶表示パネルや蛍光表示管（ＶＦＤ）などドットマトリクスによって文字（記号、数字を含む）や絵柄（アイコン）の表示が可能な表示デバイスが使用されている。
【特許文献１】特開２００４−７９４５４号公報
【発明の開示】
【発明が解決しようとする課題】
【０００５】
しかしながら、このように文字や絵柄で発電運転に関する情報を表示するように構成した場合には以下の問題があり、その改善が望まれていた。
【０００６】
(1) すなわち、通常、台所などに設置される給湯システムのリモコンとしては小型のリモコンが用いられていることから、その表示部の画面サイズは小さい。そのため、文字や絵柄を使って多くの情報を表示しようとすると自ずと文字や絵柄も小さく表示されるため、離れた位置からでは表示内容が確認しづらいという問題があった。
【０００７】
(2) また、給湯システムのリモコンは、給湯運転スイッチがオフにされたり、或いはまた、給湯待機状態（出湯がない状態）が一定時間継続するなど給湯運転状態が所定の条件を満たして省電力モードに移行した場合に、表示部の表示を停止させるなどの省電力制御（たとえば、液晶表示パネルのバックライトを消灯させたり、蛍光表示管の蛍光管を消灯させたり、さらには表示制御用のマイコンをスリープモードにするなどの表示部での消費電力を抑制する制御）が行われるように構成されている。しかし、表示部に発電運転に関する情報を表示させる構成を採用すると、給湯運転が停止していても発電運転が行われていれば表示部の表示を停止させることができないため、省電力モードに移行することができない。そのため、省電力モードによる消費電力の低減化を図ることができないという問題もあった。
【０００８】
本発明は、このような問題点に鑑みてなされたものであって、その目的とするところは、視認性に優れ、しかも少ない電力消費で発電運転に関する情報の表示ができる表示手段を備えた給湯システムを提供することにある。
【課題を解決するための手段】
【０００９】
上記目的を達成するため、本発明に係る給湯システムは、発電運転に関する情報と給湯運転に関する情報を報知する表示手段を備えた発電機能付きの給湯システムにおいて、上記表示手段は、それぞれ点灯手段を備えた複数の表示装置により構成され、少なくとも、１の表示装置が、文字、絵柄又は文字と絵柄の組み合わせにより発電運転に関する情報と給湯運転に関する情報の双方を表示する第１表示装置とされ、他の１の表示装置がその点灯手段の発光態様によって発電運転に関する情報を表示する第２表示装置とされ、上記第１表示装置は、発電運転状態とは連動せずに、給湯運転状態に基づく省電力制御に連動してその点灯手段の点灯制御が実施されるとともに、上記第２表示装置は、給湯運転状態に基づく省電力制御とは連動せずに、発電運転状態に基づいてその点灯手段の点灯制御が実施されるように構成されたことを特徴とする。
【００１０】
すなわち、本発明では、発電機能付きの給湯システムにおいて、発電運転に関する情報と給湯運転に関する情報を報知する表示手段が、文字、絵柄又は文字と絵柄の組み合わせにより発電運転に関する情報と給湯運転に関する情報の双方を表示する第１表示装置と、この第１表示装置とは別に設けられ、点灯手段の発光態様によって発電運転に関する情報を表示する第２表示装置とから構成されるので、発電運転に関する情報のうち、たとえば、現在発電中か否かや発電電力と使用電力のどちらが大きいかなど文字情報を含まずに報知できる情報を第２表示装置により点灯手段の発光態様（具体的には、たとえば、点灯手段の輝度、発光色、発光点滅周期、点灯手段を構成する発光素子の発光数又はこれらの組み合わせを状況に合わせて変えること）によって表示する一方、現在の発電電力や使用電力など文字を用いなければ報知できない詳細な情報を文字や絵柄を用いて第１表示装置に表示する。
【００１３】
また、本発明では、給湯運転状態が一定の条件を満たすことによってリモコンが省電力モードに移行（省電力制御を開始）した場合には、第１表示装置の点灯手段は省電力制御に伴って消灯するが、第２表示装置は独立して点灯制御が行われるので、たとえば、省電力モードに移行した際に発電運転中であるような場合には、第２表示装置による表示は消灯せずに継続される。そのため、本発明によれば、省電力モードによる節電効果を維持・発揮しつつ発電運転に関する情報の表示を行うことができるようになる。
【００１４】
特に、第１表示装置は文字や絵柄を表示するために、表示デバイスとしてドットマトリクスを用いた液晶表示パネルや蛍光表示管が好適に採用されるので、省電力制御によってこれら表示デバイスの点灯手段（液晶表示パネルのバックライトや蛍光表示管の自発光素子）を消灯させることによる節電効果は大きい。しかも、点灯手段の消灯と併せて第１表示装置の表示制御用のマイコンもスリープモードにできるので、この点でも節電効果を得ることができる。
【００１５】
なお、このことに関連して、第２表示装置の点灯手段が「省電力制御とは連動せずに独立して点灯制御」されるとは、第２表示装置が「通常の点灯制御に対して大きく電力消費を抑制する制御を行うことなしに」との意を示すものであり、たとえば、第１表示装置の省電力制御に連動させて第２表示装置の点灯手段の輝度をわずかに低下させる程度の制御、つまりわずかに電力消費を抑える程度の制御は、ここでいう「省電力制御とは連動せずに」に含まれる。
【発明の効果】
【００１６】
このように、本発明では、文字、絵柄等によって発電運転に関する情報と給湯運転に関する情報の双方を表示する第１表示装置と、点灯手段の発光態様によって発電運転に関する情報を表示する第２表示装置とが備えられているから、ユーザは、表示手段に近づかなくとも第２表示装置の発光態様によって発電運転に関する情報を把握することができる。また、この第２表示装置は発光態様で情報を報知するので、小さいリモコンに適用しても表示が見にくくなることがなく、さらには、周囲が暗くても情報を確実に表示・伝達することができるなど、視認性に優れている。
【００１７】
また、本発明では、第１表示装置と第２表示装置はそれぞれ別個に点灯制御がなされることから、第１表示装置の点灯手段を発電運転状態とは連動せずに給湯運転状態に基づく省電力制御に連動して点灯制御させる一方で、第２表示装置の点灯手段を省電力制御とは連動せずに独立して発電運転状態に基づいて点灯制御することにより、省電力モードには第１表示装置の点灯手段を消灯させることができるので、節電効果を維持・発揮しつつ省電力で発電運転に関する情報を表示することができる。
【発明を実施するための最良の形態】
【００１８】
以下、本発明の実施形態を図面に基づいて詳細に説明する。
図１は、本発明を適用したリモコンの一例を示す外観構成図である。また、図２は、同リモコンの概略構成を説明するブロック図である。
【００１９】
この図１に示すリモコン１は、発電機能と給湯機能を有する給湯システムにおいて当該システムの遠隔操作のために用いられる操作装置である。ここで、発電機能及び給湯機能を有する給湯システムとしては、発電の態様により、ガスエンジンにより発電機を駆動して発電するタイプ、燃料電池を利用して発電するタイプ、さらには太陽光を利用して発電するタイプなど様々なタイプの給湯システムがあるが、これらの発電機能付きの給湯システムの発電機能を実現する発電ユニットや給湯機能を実現する給湯ユニットの構造は公知であるので説明を省略し、以下においては本発明の特徴的な構成について説明する。
【００２０】
図１に示すリモコン１は、発電運転に関する情報と給湯運転に関する情報を報知する表示手段を備えた給湯システムのリモコであって、主に台所など浴室以外の場所に設置されるタイプのリモコンである。
【００２１】
このリモコン１は、略箱状の筐体２の内部に図示しない電装基板を収容してなるもので、その正面には、正面上部を覆う正面パネル２ａと、正面下部を開閉自在に覆う開閉パネル２ｂとが配設されている。そして、正面パネル２ａには、操作スイッチ群３と、表示手段を構成する第１表示部４及び第２表示部５が設けられ、また、開閉パネル２ｂの内側には給湯運転や発電運転に関する隠しスイッチ群６が設けられている。
【００２２】
上記操作スイッチ群３は、給湯運転に関する操作スイッチのうちで特に使用頻度が高いスイッチをリモコン正面に配置したもので、図示例では、この操作スイッチ群３として、給湯機能の状態を給湯待機状態（給湯栓の開栓により温水の出湯が可能な状態）と給湯停止状態（給湯栓が開栓されても温水を出湯しない状態）とに切り替える給湯スイッチ３ａと、浴槽への自動湯張りを行わせるふろ自動スイッチ３ｂと、ふろの追い焚きを行わせる追いだきスイッチ３ｃとが設けられている。
【００２３】
上記第１表示部４は、図示のように、文字や絵柄を用いて、発電運転に関する情報と給湯運転に関する情報の双方を表示する表示部であって、具体的には、この第１表示部４に使用する表示デバイスとしては、文字、絵柄又は文字と絵柄の組み合わせによって情報を表示することができるドットマトリクス方式の表示装置が用いられる。
【００２４】
この第１表示部４を構成する表示装置は、図２に示すように、表示制御用のマイコン４１を備えており、この表示制御用のマイコン４１によって表示デバイスに表示する文字や絵柄が制御される。一方、この表示装置に使用する表示デバイスとしては、たとえば、液晶表示パネルや蛍光表示管（ＶＦＤ）が好適に使用される。そして、上記表示デバイスとして液晶表示パネルを用いる場合には、この第１表示部４の点灯手段としてバックライト（図示せず）が備えられる。また、蛍光表示管を用いる場合には、文字等を表示する蛍光管自体が自発光素子で構成されるので、蛍光管自体が第１表示部４の点灯手段として用いられる。
【００２５】
この第１表示部４は、上記第２表示部５とともに発電運転に関する情報を表示する表示部であるが、この第１表示部４は、上記第２表示部５の表示を補完する表示部として用いられる。詳細は後述するが、上記第２表示部５は、発電運転に関する情報を点灯手段の発光態様によって表示するように構成されることから、この第２表示部５によって表示できる情報には自ずと限界がある。そのため、上記第２表示部５で表示できない情報（具体的には、単なる状態の表示だけではなく数値を示すような情報）は、（第２表示部５で表示される情報も含めて）すべてこの第１表示部で表示できるように構成されている。
【００２６】
ここで、この第１表示部４で表示する発電運転に関する情報を例示すると、たとえば、発電装置の状態（発電中か否か）や、発電電力量、使用電力量、発電電力量と使用電力量の比較など様々な情報を表示させることができる。図１(a)では、これら発電運転に関する情報として、現在発電中であることを示す「発電中」の文字を含んだ絵柄と、使用電力量を示す「使用電力２０．０ｋＷ」の文字が表示された状態が図示されている。なお、この第１表示部４には、このような発電運転に関する情報の他にも、給湯運転に関する情報（たとえば、給湯設定温度や貯湯タンク内の湯量など）やその他の情報（たとえば、現在時刻など）も表示されるが、それらについての説明は省略する。
【００２７】
一方、第２表示部５は、点灯手段の発光態様によって発電運転に関する情報を表示する表示部で構成される。本実施形態では、この第２表示部５として、正面パネル２ａの下端縁が利用される。すなわち、本実施形態では、上記正面パネル２ａとして透光性を有する薄板状の樹脂パネル（具体的には、透光性のよい白色の樹脂パネル）が用いられ、筐体２内に収容された点灯手段から導光部材(図示せず)を介して正面パネル２ａの裏面に導かれる光がこの正面パネル２を透過して外部に現れるように構成されている。
【００２８】
具体的には、正面パネル２ａの下端縁の裏面には、当該下端縁の略全長にわたる幅寸法を有する導光部材の光放射面が対向するように配置される。この導光部材は、光入射面から入射する光を屈折させて光放射面に案内する透明ブロック体で構成されており、上記のとおり、その光放射面が正面パネル２ａの下端縁の裏面に対向するように配置させた際に、その光入射面が上記電装基板に配設される点灯手段（図示せず）に臨む位置に配置されるようにその形状が設定されている。
【００２９】
なお、本実施形態では、上記電装基板上に配設される点灯手段は、正面パネル２ａの下端縁の真裏からやや上方に位置をずらして配置されており、そのため、この導光部材は、上記光入射面と光入射面との間に傾斜状の導光路を備えている。つまり、この導光路を介することによって、光入射面から入射する光を屈折させて光放射面へ案内する構造とされている。そのため、この導光路から外部（特に正面パネル２ａ側）に光が漏れださないように導光路の正面パネル側の傾斜面には遮光板が配設されている。
【００３０】
一方、上記第２表示部５の点灯手段としては発光ダイオードなどの発光素子が好適に使用される。特に、本実施形態では、第２表示部５の発光態様にバリエーションを持たせるために、複数の発色ができる３色発光ダイオードが使用される。
【００３１】
そして、この発光ダイオードは上記導光部材の光入射面に臨んで少なくとも１個配設されていればよいが、本実施形態では導光部材の幅方向左右に１個ずつ全体で２個の３色発光ダイオードが配設される。ここで、導光部材の幅方向左右に１個ずつ発光ダイオードを配置したのは上記同様に第２表示部５の発光態様にバリエーションを持たせるためである。具体的には、左右に配置した発光ダイオードの光りの強さ（輝度）を制御することによって導光部材を介して正面パネル２ａを透過する光が、正面パネル２ａの下端縁の略全長にわたる一本の棒状の光となって現れるように表現したり、下端縁の中央付近が暗く両端が明るく現れるように表現したりすることができるようにしている。したがって、この第２表示部５の点灯手段としての発光ダイオードは、第２表示部５で表現する発光態様に応じて適宜２個以上に設定することも可能である。
【００３２】
また、この発光ダイオードの点灯制御にあたっては、たとえば、その点灯時は図３に示すように、見かけ上の明るさが徐々に明るくなるように、点灯開始時から発光ダイオードに印加される電圧のデューティー比を一定時間（図示例では１秒）内で徐々に上げながら印加する。また、消灯させる際は、その逆のパターンで、徐々に暗くなるようにデューティー比を一定時間内で徐々に下げながら印加する（図４(a)の点灯から消灯時参照）。これにより、発光ダイオードが緩やかに点灯（又は消灯）する。そして、このように緩やかに点灯／消灯する光は、さらに導光部材を経ることにより屈折・拡散され、正面パネル２ａを透過することによって和らげられ、見かけ上穏やかな点灯／消灯が実現される。
【００３３】
さらに、発光ダイオードを点滅させる場合には、図４(b)に示すように、発光ダイオードの消灯期間（図示例では０．５秒）に対して点灯期間（図示例では２．５秒）を長く設定し、さらに点灯期間中に上述した点灯時と消灯時の制御（緩やかな点灯／消灯）を行う。このように点灯期間が長くなるように点滅周期を定めることにより、発光ダイオードの点滅があたかも蛍の点滅のように緩やかな点滅として表現できる。
【００３４】
なお、上述した点灯時／消灯時の電圧印加の方法や点滅周期の設定はあくまで点灯制御の一例を示すものであり適宜設計変更可能であることは勿論である。
【００３５】
このように、第２表示部５は、点灯手段の輝度、発光色、発光点滅周期、点灯手段を構成する発光素子の発光数又はこれらの組み合わせによって様々な発光態様を表現できる。そして、この第２表示部５でいかなる発光態様を用いるかは後述するマイコン１０にあらかじめ設定（初期設定）しておくが、この初期設定はリモコン１のスイッチ操作によってユーザが適宜選択できるように構成される。たとえば、発光ダイオードの輝度を調節したり、発光色の設定を変更したり、点滅周期の長短を変更したりすることができるようにされる。
【００３６】
なお、この第２表示部５は、上記第１表示部４のような表示制御用のマイコン４１を備えておらず、後述するリモコン１のマイコン１０によってその発光態様の制御ができるように構成される。
【００３７】
なお、上記隠しスイッチ群６は、給湯運転及び発電運転に関する操作スイッチのうちで使用頻度が低いスイッチを開閉パネル２ｂの内側に配置したものである。
【００３８】
しかして、このように構成されたリモコン１には、その内部（電装基板上）に、リモコン１の各部を制御する制御手段としてマイコン１０が設けられている。このマイコン１０は、通信インターフェース１１を介して上記発電ユニット及び給湯ユニットと通信可能に構成される。そして、上記操作スイッチ群３や隠しスイッチ群６のスイッチ操作を受け付けて当該操作に対応する所定の処理（発電ユニットや給湯ユニットに対する制御）を実行するとともに、発電ユニットや給湯ユニットから得られる情報（この情報には、たとえば発電ユニットの発電電力や使用電力が含まれる）に基づいて給湯機能の給湯運転状態や発電機能の発電運転状態に応じて上記第１表示部４及び第２表示部５の表示内容を制御するように構成される。
【００３９】
そこで、次に、この第１表示部４及び第２表示部５の表示制御についてそれぞれ説明する。
【００４０】
Ａ：第１表示部４の表示制御
リモコン１のマイコン１０は、リモコン１の給湯スイッチ３ａがオフの状態（給湯運転状態は給湯運転させない状態）にあるときは省電力制御を実行する。本実施形態では、この省電力制御として、上記第１表示部４の点灯手段（すなわち、表示デバイスが液晶表示パネルの場合はバックライト、蛍光表示管の場合は蛍光表示管）を消灯させるとともに、表示制御用のマイコン４１をスリープモードにする制御が行われ、これにより第１表示部４による表示が停止される。なお、この省電力制御実行中は、点灯手段での電力消費がなく、また、マイコン４１の消費電力も少なくなるので、リモコン１での無駄な電力消費が抑制される。
【００４１】
そして、本実施形態では、この給湯運転させない状態における第１表示部４の表示停止は、発電ユニットが発電中であっても維持される。つまり、このとき第１表示部４には給湯運転に関する情報も発電運転に関する情報も表示されない（なお、省電力制御として表示制御用のマイコン４１をスリープモードにせず、バックライトの消灯のみを行う場合は発電運転に関する情報が表示される場合がある。以下、同様）。この場合、発電運転に関する情報は第２表示部５によって表示されることとなる。
【００４２】
一方、給湯スイッチ３ａがオンの場合、マイコン１０は省電力モードにある場合を除き、第１表示部４の点灯手段を点灯させて、給湯運転に関する情報や発電運転に関する情報を第１表示部４に表示させる。ここで、省電力モードとは、給湯スイッチ３ａがオンの状態で給湯待機（出湯がない）状態が所定時間継続するなどの所定条件を満たしたときに移行する制御モードであり、この省電力モードに移行した場合、マイコン１０は、上述した省電力制御を実行して第１表示部４による表示を停止させる。そして、この省電力モードの場合も第１表示部４の表示停止は維持され、発電ユニットが発電中であっても第１表示部４には何も表示されず、発電運転に関する情報は第２表示部５によって表示される。
【００４３】
これに対して、出湯があり給湯待機状態が解除される（給湯運転状態が給湯運転中になる）と、マイコン１０は省電力モードに移行中であれば通常の動作モードに復帰して省電力制御を解除する。つまり、給湯運転中は、上記第１表示部４の点灯手段が点灯され、第１表示部４には給湯運転に関する情報や発電運転に関する情報が表示される。なお、このとき発電ユニットが発電中であれば、第２表示部５にも発電運転に関する情報が表示される。
【００４４】
このように、第１表示部４は給湯機能の給湯運転状態に基づいてその表示制御が実行される。そして、それに連動して第１表示部４の点灯手段の点灯制御が実施されるように構成されている。
【００４５】
Ｂ：第２表示部５の表示制御
これに対して、第２表示部５は発電機能の発電運転状態に基づいてその表示制御が実行される。すなわち、この第２表示部５は、給湯運転状態がいかなる状態にあるかに関係なく、また上記省電力制御とも連動することなく独立して表示制御が行われる。
【００４６】
ここで、この第２表示部５は、発電運転が開始されると発電中であることを表示するが、本実施形態では、この第２表示部５は上述したように様々な発光態様を表現可能に構成されているので、単に発電中であることのみを表示するのではなく、使用電力との関係も併せて表示するように構成される。
【００４７】
図５は、この第２表示部５における表示制御の一例を示している。図示の例１に示す設定では、第２表示部２の発光ダイオードは青色と緑色を発光するように設定されている。また、発電ユニットの定格発電電力は１［ｋＷ］とされる。
【００４８】
そして、発電ユニットが発電を開始すると、マイコン１０は発電ユニットでの発電電力量と使用電力量とを比較して、使用電力が発電電力（定格発電電力）以上になると発光ダイオードを青色で点灯させ、定格発電電力（図示例ではヒステリシスを持たせて０．８［ｋＷ］）未満になると青色とは異なる緑色で点灯させるようにしている。つまり、ユーザは第２表示部５が発光していれば発電ユニットが発電中であることを知ることができることに加えて、その発光色が青色であれば発電ユニットで発電されている電力を効率よく使用（消費）していることを知ることができる。そして、緑色で発光していれば発電電力が十分に消費されておらず余剰電力があることを知ることができる。なお、図示の例２は、マイコン１０の設定を変更して、使用電力が定格発電電力未満のときの発光態様を青色の点滅に設定した場合を示している。
【００４９】
このように、本発明の給湯システムでは、リモコン１の第２表示部５が、発電運転状態を発光態様で表示するように構成されているので、ユーザは、リモコン１に近づかなくとも第２表示部５の発光態様を視認することで、発電ユニットの状態（発電中か否か）や発電された電力を効率よく使用できているかを知ることができる。また、リモコン１の設置場所が暗くとも、発光態様による表示であるから視認が容易である。
【００５０】
しかも、この第２表示部５は、給湯運転状態と関係なく発電運転に関する情報を表示するように構成されているので、給湯運転させない状態にあるときや給湯待機状態が継続して省電力モードに移行した場合などに、第１表示部４に対して省電力制御を行っても、ユーザは第２表示部５を通じて発電運転に関する情報を取得することができる。したがって、第１表示部４の表示を停止させ得る分だけリモコン１での電力消費を少なくすることができる。
【００５１】
さらに、本実施形態では、第２表示部５の発光態様はユーザ側で選択することができるので、たとえば、リモコン１の設置場所が暗く初期設定の明るさでは表示が明るすぎるような場合には暗くしたり、あるいは発光態様の色を好みにあわせて変更したり、さらには、点滅によって報知するようにしたりすることができる。そのため、ユーザによって最も見やすい発光態様を選択させることで視認性を一層向上させることができる。
【００５２】
なお、上述した実施形態はあくまでも本発明の好適な実施態様を示すものであって、本発明はこれらに限定されることなくその範囲内で種々の設計変更が可能である。  
【００５３】
たとえば、上述した実施形態では、上記第２表示部５が正面パネル２ａの下端縁に設けられた場合を示したが、この第２表示部５は第１表示部４とは別の位置に設けられていればよく、正面パネル２ａの下端縁以外の位置に設けることも可能である。また、上述した実施形態では、この第２表示部５は、点灯手段（発光ダイオード）からの光を正面パネル２ａを透過させて表示するように構成した場合を示したが、正面パネル２ａに開口部を設けるなどして点灯手段からの光を直接（または導光部材を介して）外部に導くように構成することも可能である。要は、この第２表示部５は、第１表示部とは別個に制御される点灯手段の発光態様によって発電運転に関する情報を報知可能に構成されていればよい。
【００５４】
また、上述した実施形態において示した第１表示部４の表示態様や第２表示部５の表示態様はあくまで例示であり、本発明の範囲内で適宜変更可能であることは勿論である。たとえば、第２表示部５の表示態様として、上述した実施形態では、発光する色等を変えながら表示する場合を示したが、単一の情報（つまり、発電中であるか否か）のみを表示する場合は、発光の有無や点滅の有無などによって情報を報知するように構成することも可能である。
【００５５】
さらに、上述した実施形態では、第１表示部４と第２表示部５をリモコン１内にそれぞれ１つ設けた場合を示したが、これら第１表示部４および第２表示部５は１つのリモコン内にそれぞれ複数設けられていてもよい。また、給湯システム内に複数のリモコンが設けられ、これらにそれぞれ第１表示部４および第２表示が設けられるように構成することももちろん可能である。
【図面の簡単な説明】
【００５６】
【図１】本発明に係る給湯システムのリモコンの一例を示す外観構成図であって、図１(a)は正面の開閉パネルを開いた状態を示す正面図であり、図１(b)はその左側面図である。
【図２】同給湯システムのリモコンの概略構成を示すブロック図である。
【図３】同給湯システムのリモコンの第２表示部における点灯手段の点灯制御の一例を示す説明図である。
【図４】同給湯システムのリモコンの第２表示部における点灯手段の点灯制御の一例を示す説明図である。
【図５】同給湯システムのリモコンの第２表示部における点灯手段の表示制御の一例を示す説明図である。
【符号の説明】
【００５７】
１              リモコン
２              リモコン１の筐体
２ａ            正面パネル
２ｂ            開閉パネル
３              操作スイッチ群
４              第１表示部（第１表示装置）
４１            第１表示部の表示制御用のマイコン
５              第２表示部（第２表示装置）
６              隠しスイッチ群
１０            マイコン
【図１】
0005211760.tif 000002
【図２】
0005211760.tif 000003
【図３】
0005211760.tif 000004
【図４】
0005211760.tif 000005
【図５】
0005211760.tif 000006